(57)【要約】【課題】着脱が容易でかつ確実に取り付けることができるスピーカグリル取付構造を提供する。【解決手段】スピーカ本体４は、スピーカグリル５を取り付ける面においてスピーカ本体３内部に貫通しない未貫通穴８を備え、前記スピーカグリル５は、前記スピーカ本体３に取り付ける側においてボス９を備え、前記ボス９にはキャッチャ１０が嵌められ、前記キャッチャ１０を嵌められた前記ボス９が前記未貫通穴８に嵌められる。【選択図】図１３
2009010641.tif 000002
【特許請求の範囲】
【請求項１】
スピーカ本体にスピーカグリルを取り付けるスピーカグリル取付構造であって、
前記スピーカ本体は、前記スピーカグリルを取り付ける面においてスピーカ本体内部に貫通しない未貫通穴を備え、
前記スピーカグリルは、前記スピーカ本体に取り付ける側においてボスを備え、
前記ボスにはキャッチャが嵌められ、
前記キャッチャを嵌められた前記ボスが前記未貫通穴に嵌められることを特徴とするスピーカグリル取付構造。
【請求項２】
前記キャッチャと前記未貫通穴の嵌合摩擦力より、前記キャッチャと前記ボスの嵌合摩擦力の方が大きいことを特徴とする請求項１に記載のスピーカグリル取付構造。
【請求項３】
前記キャッチャの外側には、前記未貫通穴への挿入方向と平行に延在する１個以上の突起が設けられていることを特徴とする請求項２に記載のスピーカグリル取付構造。
【請求項４】
前記キャッチャの内側には、前記ボスの挿入方向に対して垂直方向に延在する１個以上の突起が設けられていることを特徴とする請求項２又は３に記載のスピーカグリル取付構造。
【請求項５】
前記キャッチャと前記未貫通穴の嵌合摩擦力より、前記キャッチャと前記ボスの嵌合摩擦力の方が小さいことを特徴とする請求項１に記載のスピーカグリル取付構造。
【請求項６】
前記キャッチャの外側には、前記未貫通穴への挿入方向に対して垂直方向に延在する１個以上の突起が設けられていることを特徴とする請求項５に記載のスピーカグリル取付構造。
【請求項７】
前記キャッチャの内側には、前記ボスの挿入方向と平行に延在する１個以上の突起が設けられていることを特徴とする請求項５又は６に記載のスピーカグリル取付構造。
【請求項８】
前記キャッチャの前記ボスが嵌る穴の底部には、前記キャッチャの外側まで貫通する空気抜き穴が設けられていることを特徴とする請求項１乃至７のいずれか１項に記載のスピーカグリル取付構造。
【請求項９】
前記キャッチャの前記未貫通穴への挿入方向先端部は、前記挿入方向に向かって細くなるテーパ状に形成されていることを特徴とする請求項１乃至８のいずれか１項に記載のスピーカグリル取付構造。
【請求項１０】
前記キャッチャの前記ボスが嵌る穴の入口部は、穴の底部に向かって細くなるテーパ状に形成されていることを特徴とする請求項１乃至９のいずれか１項に記載のスピーカグリル取付構造。
【請求項１１】
前記キャッチャはゴム製であることを特徴とする請求項１乃至１０のいずれか１項に記載のスピーカグリル取付構造。
【発明の詳細な説明】
【技術分野】
【０００１】
本発明は、カバー取付構造に関し、特に、スピーカに取り付けるスピーカグリルの取付構造に関する。
【背景技術】
【０００２】
テレビジョン受像機やオーディオ機器等の機器に備わるスピーカは、紙や薄い金属等から成る比較的破損しやすい振動板を有する。したがって、これらの機器においては、スピーカを保護するためのスピーカグリルを備えることが一般的である。このようなスピーカグリルは、スピーカから発生する音を通過させるために、通気性があるクロスや金属の網等からなるグリル部と、グリル部を取り付けるフレーム部から成る。
【０００３】
引用文献１には、バッフル板に固定された略Ω形状のネットキャッチに、ネット生地が貼られたフレームに一体に形成された環状で切り溝を有する成形ツメが嵌るようになっているスピーカ装置が記載されている。
【０００４】
引用文献２には、スピーカネットカバーの取り付け枠の内周に形成された爪部が、スピーカ筐体内に設けられた係止部と係合し、この係合状態を解除させるための孔をスピーカ筐体底面に穿設したスピーカボックスが記載されている。
【０００５】
引用文献３には、スピーカーネットの周縁部下方に形成された複数の脚部をキャビネットに形成された複数の脚孔に挿入して前記スピーカーネットを回動することにより前記脚部先端の足部を前記脚孔に係合させた後、前記脚部に対応して下方に突起を有する固定リングを前記スピーカーネットの外側に嵌着したスピーカーネットの取付構造が記載されている。
【０００６】
【特許文献１】特開昭６３−２０３０９５号公報
【特許文献２】特開昭６３−８７９８２号公報
【特許文献３】特開２００５−２０１１５号公報
【発明の開示】
【発明が解決しようとする課題】
【０００７】
機器に対して着脱可能なタイプのスピーカグリルでは、比較的弱い力で容易に着脱することができ、かつ、確実に取り付けられることが望まれる。
【０００８】
また、バスレフ式、密閉式等のスピーカの動作を妨げないような構造であることが望ましい。
【０００９】
さらに、構造が簡単で低コストに製造できることが望ましい。
【００１０】
本発明は、このような事情を鑑みて成されたものであり、着脱が容易でかつ確実に取り付けることができるスピーカグリル取付構造を提供することを目的とする。
【課題を解決するための手段】
【００１１】
本発明のスピーカグリル取付構造は、スピーカ本体は、前記スピーカグリルを取り付ける面においてスピーカ本体内部に貫通しない未貫通穴を備え、前記スピーカグリルは、前記スピーカ本体に取り付ける側においてボスを備え、前記ボスにはキャッチャが嵌められ、前記キャッチャを嵌められた前記ボスが前記未貫通穴に嵌められることを特徴とする。
【００１２】
好適には、前記キャッチャと前記未貫通穴の嵌合摩擦力より、前記キャッチャと前記ボスの嵌合摩擦力の方が大きくなるようにし、スピーカグリルをスピーカ本体から取り外した際に、キャッチャが常にボス側に残るようにする。
【００１３】
このようにするために、前記キャッチャの外側に、前記未貫通穴への挿入方向と平行に延在する１個以上の突起を設けてもよく、前記キャッチャの内側に、前記ボスの挿入方向に対して垂直方向に延在する１個以上の突起を設けてもよい。
【００１４】
また、前記キャッチャと前記未貫通穴の嵌合摩擦力より、前記キャッチャと前記ボスの嵌合摩擦力の方が小さくなるようにし、スピーカグリルをスピーカ本体から取り外した際に、キャッチャが常に未貫通穴側に残るようにしてもよい。
【００１５】
このようにするために、前記キャッチャの外側に、前記未貫通穴への挿入方向に対して垂直方向に延在する１個以上の突起を設け、前記キャッチャの内側に、前記ボスの挿入方向と平行に延在する１個以上の突起を設けてもよい。
【００１６】
前記キャッチャの前記ボスが嵌る穴の底部には、前記キャッチャの外側まで貫通する空気抜き穴を設けてもよい。このようにすれば、ボスにキャッチャを嵌めやすくなる。
【００１７】
前記キャッチャの前記未貫通穴への挿入方向先端部は、前記挿入方向に向かって細くなるテーパ状に形成してもよい。このようにすれば、キャッチャを未貫通穴に嵌めやすくなる。
【００１８】
前記キャッチャの前記ボスが嵌る穴の入口部は、穴の底部に向かって細くなるテーパ状に形成してもよい。このようにすれば、ボスにキャッチャを嵌めやすくなる。
【００１９】
好適には、前記キャッチャはゴム製である。
【発明の効果】
【００２０】
本発明によれば、着脱が容易でかつ確実に取り付けることができるスピーカグリル取付構造が実現する。
【発明を実施するための最良の形態】
【００２１】
図１は、本発明のスピーカグリル取付構造を適用できる液晶テレビジョン受像機の正面図、背面図及び側面図である。液晶テレビジョン受像機は、表示部１と、表示部１を支持するスタンド部２と、表示部１の下に取り付けられたスピーカ部３とを備える。表示部１、スタンド部２及びスピーカ部３は、互いにネジ等によって一体に結合される。
【００２２】
図２は、スピーカ部３を示す斜視図である。スピーカ部３は、スピーカボックス４と、スピーカグリル５とを備える。図３は、スピーカボックス４を示す斜視図であり、図４は、スピーカグリル５を示す斜視図である。スピーカボックス４は中空であり、スピーカユニット取付面６にスピーカユニット７が取り付けられている。スピーカグリル５は、スピーカボックス４のスピーカユニット取付面６に対して、着脱可能に取り付けられる。
【００２３】
図５は、スピーカボックス４のスピーカユニット取付面６の一部を示す正面図である。スピーカボックス４のスピーカユニット取付面６には、スピーカグリル５を取り付けるための未貫通穴８が設けられている。図６は、スピーカボックス４の未貫通穴８がある部分を示す断面図である。未貫通穴８は、ほぼ円柱形状の穴であり、スピーカボックス４の内部の空間に通じていない。したがって、未貫通穴８は、スピーカボックス４の音響効果に影響しない。未貫通穴８の数や位置は、取り付けるスピーカグリル５の重量や重量バランス、スピーカユニット７の位置等を考慮して設定される。
【００２４】
図７は、スピーカグリル５を示す斜視図である。スピーカグリル５は、例えばプラスチック一体成形された枠の表面に、通気性のある布ネット又は金属性パンチングシートが取り付けられて成る。スピーカユニット７から放出される音を透過させるため、少なくとも、この枠のスピーカボックス４に取り付けられた状態でスピーカユニット７がある部分は、多数の貫通孔を有するグリル状に形成する。スピーカグリル５の裏面には、スピーカボックス４に取り付けるためのボス９が設けられている。図８は、スピーカグリル５のこのようなボス９がある部分を詳細に示す拡大図である。ボス９は、枠と一体に成形され、ほぼ円柱形状を有する。
【００２５】
ボス９にはキャッチャ１０が圧入される。図９は、ボス９にキャッチャ１０が圧入された状態を示す斜視図である。ボス９は、キャッチャ１０が圧入された状態でスピーカボックス４の未貫通穴８に嵌め込まれる。
【００２６】
以下、このようなキャッチャ１０について詳細に説明する。
【００２７】
図１０は、キャッチャ１０を未貫通穴８に挿入する側から見た斜視図であり、図１１は、キャッチャ１０をボス９に圧入する側から見た斜視図であり、図１２は、キャッチャ１０の中心軸に沿った断面図である。
【００２８】
キャッチャ１０は、ゴム製であり、好適には、熱可塑性のエラストマ製である。キャッチャ１０の外形は、ほぼ円柱形状である。キャッチャ１０には、ボス９に圧入するためのほぼ円柱形状の穴１１を有する。穴１１の入口は、ボス９に嵌めやすいようにテーパ１２が形成されている。キャッチャ１０の未貫通穴８に挿入する側は、挿入しやすいようにテーパ１３が形成されている。キャッチャ１０をボス９に圧入する際に、キャッチャ１０の穴１１の中の空気を逃がすため、穴１１の底に外側まで貫通する空気抜き穴１４が設けられている。
【００２９】
本実施の形態のキャッチャ１０は、スピーカグリル５のボス９に圧入された状態で、スピーカボックス４の未貫通穴８に対して挿抜される。キャッチャ１０は、ボス９からは抜けにくく、未貫通穴８からは抜けやすくなければならない。このため、キャッチャ１０の外側には、未貫通穴８への挿抜方向に沿った方向に延在する１個以上の突起１５が設けられている。図示した例では、突起１５は、未貫通穴８への挿抜方向に対して垂直に切った断面が常に一定の山型の形状で、キャッチャ１０の外周全体を覆うように並べられている。キャッチャ１０が未貫通穴８に挿入される際、これらの突起１５はある程度つぶれた状態になる。突起１５は、未貫通穴８への挿抜方向に沿った方向に延在するため、キャッチャ１０の未貫通穴８に対する挿抜をあまり妨げない。さらに、キャッチャ１０の穴１１の内側には、ボス９への圧入方向に対して垂直方向に延在する１個以上の突起１６が設けられている。図示した例では、突起１６は、ボス９への圧入方向に切った断面が常に一定の山型の形状で、ボス９への圧入方向に沿って平行に数個配置されている。キャッチャ１０がボス９に圧入される際、これらの突起１６はある程度つぶれた状態になる。突起１６は、ボス９への圧入方向に対して垂直方向に延在するため、キャッチャ１０がボス９から抜けるのを防ぐ。突起１５及び突起１６の数量及び寸法は、突起１５と未貫通穴８との嵌合摩擦力より、突起１６とボス９との嵌合摩擦力のほうが大きくなるように設定される。
【００３０】
図１３は、スピーカグリルがスピーカボックスに取り付けられた状態を示す断面図である。スピーカグリル５に設けられたボス９にはキャッチャ１０が圧入され、キャッチャ１０を圧入されたボス９がスピーカボックス４のスピーカユニット取付面６に設けられた未貫通穴８に挿入されることによって、スピーカグリル５はスピーカボックス４に取り付けられる。スピーカグリル５がスピーカボックス４から取り外される際、キャッチャ８はボス９側に残ったまま未貫通穴８から抜ける。
【００３１】
上記実施の形態では、キャッチャが常にスピーカグリルのボス側に残るようにしたが、キャッチャが常にスピーカボックスの未貫通穴側に残るようにしてもよい。この際には、キャッチャの内側の突起とボスとの嵌合摩擦力より、キャッチャの外側の突起と未貫通穴との嵌合摩擦力のほうが大きくなるように、キャッチャの内側に、ボスへの挿抜方向に対して平行方向に延在する１個以上の突起を設け、キャッチャの外側に、未貫通穴への圧入方向に対して垂直方向に延在する１個以上の突起を設けるようにしてもよい。
【００３２】
また、上記説明においては、液晶テレビジョン受像機のスピーカ部に適用した場合を例として説明したが、本発明のスピーカグリル取付構造は、一般的な箱型のスピーカボックス等、種々のスピーカにも適用可能である。
【００３３】
さらに本発明は、スピーカグリルの取付構造に限定されず、端子カバー等、各種のカバーの取付構造としても実施可能である。
【産業上の利用可能性】
【００３４】
本発明は、スピーカグリルの取付構造に利用可能である。
【図面の簡単な説明】
【００３５】
【図１】本発明のスピーカグリル取付構造を適用できる液晶テレビジョン受像機の正面図、背面図及び側面図である。
【図２】スピーカ部を示す斜視図である。
【図３】スピーカボックスを示す斜視図である。
【図４】スピーカグリルを示す斜視図である。
【図５】スピーカボックスのスピーカユニット取付面の一部を示す正面図である。
【図６】スピーカボックスの未貫通穴がある部分を示す断面図である。
【図７】スピーカグリルのスピーカボックスに取り付ける側を示す斜視図である。
【図８】スピーカグリルのボスがある部分を詳細に示す拡大図である。
【図９】ボスにキャッチャが圧入された状態を示す斜視図である。
【図１０】キャッチャを未貫通穴に挿入する側から見た斜視図である。
【図１１】キャッチャをボスに圧入する側から見た斜視図である。
【図１２】キャッチャの中心軸に沿った断面図である。
【図１３】スピーカグリルがスピーカボックスに取り付けられた状態を示す断面図である。
【符号の説明】
【００３６】
１  表示部
２  スタンド部
３  スピーカ部
４  スピーカボックス
５  スピーカグリル
６  スピーカユニット取付面
７  スピーカユニット
８  未貫通穴
９  ボス
１０  キャッチャ
１１  穴
１２  テーパ
１３  テーパ
１４  空気抜き穴
１５  突起
１６  突起
【図１】
2009010641.tif 000003
【図２】
2009010641.tif 000004
【図３】
2009010641.tif 000005
【図４】
2009010641.tif 000006
【図５】
2009010641.tif 000007
【図６】
2009010641.tif 000008
【図７】
2009010641.tif 000009
【図８】
2009010641.tif 000010
【図９】
2009010641.tif 000011
【図１０】
2009010641.tif 000012
【図１１】
2009010641.tif 000013
【図１２】
2009010641.tif 000014
【図１３】
2009010641.tif 000015